【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
被写体を撮影して画像データを生成する撮像手段と、
前記撮像手段によって生成された画像データに画像処理を施す画像処理手段と、
前記撮像手段が前記被写体を撮影する時に音声信号を取得する音声入力手段と、
前記音声入力手段によって取得された音声信号の特徴量を分析する音声分析手段と、
前記画像処理手段が前記画像データに画像処理を施すために用いる画像処理パラメータを、前記音声分析手段によって分析された音声信号の特徴量に基づいて制御する制御手段とを有することを特徴とする撮像装置。
【請求項２】
前記撮像手段はレンズ、絞り及びシャッターを含む撮像光学系を介して結像された光学像を電気信号に変換する撮像素子と、前記被写体の周辺部の明るさを測る測光手段と、前記測光手段により得られた測光値に連動して前記絞りを制御するレンズ制御手段と、前記シャッターのスピードを制御するシャッター制御手段とを有することを特徴とする請求項１に記載の撮像装置。
【請求項３】
被写体を撮影して画像データを生成する撮像手段と、
前記被写体の周辺部の明るさを測る測光手段と、
前記撮像手段が前記被写体を撮影する時に音声信号を取得する音声入力手段と、
前記音声入力手段によって取得された音声信号の特徴量を分析する音声分析手段と、
前記撮像手段で撮像する際の撮影パラメータを、前記測光手段より得られる測光値と前記音声信号の特徴量に基づいて制御する制御手段とを有することを特徴とする撮像装置。
【請求項４】
前記音声信号の特徴量は、前記音声信号の平均音量、音量変化率、平均周波数、平均周波数の変化率のうち少なくとも１つを含み、前記音声分析手段は、前記音声信号の周波数分布に基づいて前記音声信号の特徴量を求めることを特徴とする請求項１乃至３の何れか１項に記載の撮像装置。
【請求項５】
前記制御手段が制御する画像処理パラメータは、コントラスト、シャープネス、明度、彩度、ホワイトバランスのうち少なくとも１つを含むことを特徴とする請求項１乃至４の何れか１項に記載の撮像装置。
【請求項６】
前記制御手段は、前記音声信号の平均音量または平均周波数の変化率が高いほど、前記明度または前記彩度を強くし、前記コントラストまたは前記シャープネスは弱くすることを特徴とする請求項５に記載の撮像装置。
【請求項７】
前記制御手段は、前記音声信号の平均音量または平均周波数の変化率が高いほど、前記ホワイトバランスを黄色側にシフトさせることを特徴とする請求項５または６に記載の撮像装置。
【請求項８】
前記制御手段は、前記音声信号の音量変化率または平均周波数が高いほど、前記明度または彩度を弱くし、前記コントラストまたは前記シャープネスは強くすることを特徴とする請求項５乃至７の何れか１項に記載の撮像装置。
【請求項９】
前記制御手段は、前記音声信号の音量変化率または平均周波数が高いほど、前記ホワイトバランスを青色側にシフトさせることを特徴とする請求項５乃至８の何れか１項に記載の撮像装置。
【請求項１０】
前記制御手段は、前記撮像手段が動画撮影を行う場合には、撮影時に取得した音声信号の特徴量に基づいて動画のフレームレートを制御することを特徴とする請求項１乃至９の何れか１項に記載の撮像装置。
【請求項１１】
前記音声分析手段は、被写体を撮影したときに取得した周波数成分の分布が可聴域範囲内であるどうかを判定し、
前記制御手段は、前記音声分析手段の判定結果に応じて、画像処理パラメータまたは撮影パラメータを制御することを特徴とする請求項１乃至１０の何れか１項に記載の撮像装置。
【請求項１２】
被写体を撮影して画像データを生成する撮像工程と、
前記撮像工程において生成された画像データに画像処理を施す画像処理工程と、
前記撮像工程において前記被写体を撮影する時に音声信号を取得する音声入力工程と、
前記音声入力工程において取得された音声信号の特徴量を分析する音声分析工程と、
前記画像処理工程において前記画像データに画像処理を施すために用いる画像処理パラメータを、前記音声分析工程において分析された音声信号の特徴量に基づいて制御する制御工程とを有することを特徴とする撮像方法。
【請求項１３】
被写体を撮影して画像データを生成する撮像工程と、
前記撮像工程において生成された画像データに画像処理を施す画像処理工程と、
前記撮像工程において前記被写体を撮影する時に音声信号を取得する音声入力工程と、
前記音声入力工程において取得された音声信号の特徴量を分析する音声分析工程と、
前記画像処理工程において前記画像データに画像処理を施すために用いる画像処理パラメータを、前記音声分析工程において分析された音声信号の特徴量に基づいて制御する制御工程とを有することを特徴とする撮像方法をコンピュータに実行させることを特徴とするコンピュータプログラム。
【手続補正２】
【補正対象書類名】明細書
【補正対象項目名】００１０
【補正方法】変更
【補正の内容】
【００１０】
本発明の撮像装置は、被写体を撮影して画像データを生成する撮像手段と、前記撮像手段によって生成された画像データに画像処理を施す画像処理手段と、前記撮像手段が前記被写体を撮影する時に音声信号を取得する音声入力手段と、前記音声入力手段によって取得された音声信号の特徴量を分析する音声分析手段と、前記画像処理手段が前記画像データに画像処理を施すために用いる画像処理パラメータを、前記音声分析手段によって分析された音声信号の特徴量に基づいて制御する制御手段とを有することを特徴とする。
【手続補正３】
【補正対象書類名】明細書
【補正対象項目名】００１１
【補正方法】変更
【補正の内容】
【００１１】
本発明の撮像方法は、被写体を撮影して画像データを生成する撮像工程と、前記撮像工程において生成された画像データに画像処理を施す画像処理工程と、前記撮像工程において前記被写体を撮影する時に音声信号を取得する音声入力工程と、前記音声入力工程において取得された音声信号の特徴量を分析する音声分析工程と、前記画像処理工程において前記画像データに画像処理を施すために用いる画像処理パラメータを、前記音声分析工程において分析された音声信号の特徴量に基づいて制御する制御工程とを有することを特徴とする。
【手続補正４】
【補正対象書類名】明細書
【補正対象項目名】００１２
【補正方法】変更
【補正の内容】
【００１２】
本発明のコンピュータプログラムは、被写体を撮影して画像データを生成する撮像工程と、前記撮像工程において生成された画像データに画像処理を施す画像処理工程と、前記撮像工程において前記被写体を撮影する時に音声信号を取得する音声入力工程と、前記音声入力工程において取得された音声信号の特徴量を分析する音声分析工程と、前記画像処理工程において前記画像データに画像処理を施すために用いる画像処理パラメータを、前記音声分析工程において分析された音声信号の特徴量に基づいて制御する制御工程とを有することを特徴とする撮像方法をコンピュータに実行させることを特徴とする。
【手続補正５】
【補正対象書類名】明細書
【補正対象項目名】００６３
【補正方法】変更
【補正の内容】
【００６３】
ここで、各画像処理パラメータと音声特徴量とは図４の関係にあるものとする。コントラスト設定値を例とすれば、音量・抑揚が大きいほどコントラストは弱まり、音高・テンポが大きいほどコントラストは強まるものとする。